(57)【特許請求の範囲】
【請求項１】
処理材料を収納したタンク内に分散媒体を収納した容器を設け、該容器内に設けた攪拌翼により上記分散媒体と処理材料に流動を与えて処理材料を分散する媒体分散装置において、上記容器の周壁部を液密にし、該周壁部に調温流体が流通するジャケットを形成し、上記容器の上部を開口し、かつ底部に上記分散媒体が通過しない流通孔を有するスクリ−ンを設け、該容器内の分散媒体を攪拌するよう複数の攪拌翼を有する回転軸を上記開口を通して容器内に延出し、該開口から処理材料を該容器内へ送り込むよう上記回転軸の上部に送り込み手段を設け、スクリーンに近接した最下端の攪拌翼は分散媒体をかき上げるかき上げ翼であることを特徴とする媒体分散装置。
【請求項２】
上記容器の底部に設けるスクリ−ンは、上記容器の基底を構成する底面部と上記容器の高さの３分の１以下の高さで上記底面部の周囲に起立する周面部を含んでいる請求項１に記載の媒体分散装置
。
【請求項３】
上記送り込み手段は、該回転軸に設けたスクリュ−である請求項１に記載の媒体分散装置 。
【請求項４】
上記送り込み手段は、該回転軸に設けた送り込み翼である請求項１に記載の媒体分散装置 。
【請求項５】
上記容器とタンクの間には、該タンク内の処理材料に流動を与えるよう処理材料流動用攪拌翼が設けられている請求項１〜４のいずれかに記載の媒体分散装置。
【発明の詳細な説明】
【０００１】
【発明の属する技術分野】
本発明は、媒体分散装置に関し、特に分散媒体を容器内に収納し、この容器をタンク内の処理液中に入れて湿式分散処理を行うようにしたいわゆるバスケットミルに係るものである。
【０００２】
【従来の技術】
いわゆるバスケットミルは、少ない分散媒体を用いて集中的に分散処理を行うことができる装置として知られ、この種の装置として例えば特公昭５９−４６６６５号公報、特公昭６２−１６６８７号公報、特公平５−８２２５３号公報等が知られている。しかし、これらの公報に記載されている分散装置は、分散媒体を収納した容器を籠体とし、その底部を貫通して、攪拌軸が下方に延出しているため、該籠体の胴部が目詰まりしたり、摩耗，発熱が大きくなり、上記攪拌軸の貫通部に分散媒体が目詰まりしたり、分散媒体が該貫通部から流出するおそれがあった。
【０００３】
そこで、タンク内に設ける容器の底部から攪拌軸を下方に貫通させないようにした装置も提案されている。例えば、特開平２−２０７８５３号公報、特公平６−７３６２０号公報、特公平８−１７９３０号公報等が知られているが、これらのものは容器の底部をロ−タ−とし、容器の下端面との間に間隙を設けて処理材料のみを流出させるようにしたり、容器の底部をメクラ板とし、側壁に設けた小孔から処理材料のみを流出させるようにしているが、やはり目詰まりや発熱の問題を生じ、容器内への処理材料の循環も不充分になることがあった。
【０００４】
また、上記タンク内の容器にジャケットを設けて発熱を除去するようにした装置が、特開昭５６−３７０５７号公報や実開平４−８７７４２号（実用新案登録第２５１５６７８号）公報に記載されているが、容器の両端（上下）にそれぞれスクリ−ン等の仕切りを設けて容器内に分散媒体を収納する空間部を区画し、上記スクリ−ンの外方（下方）に突出させた攪拌シャフトに軸流ポンプ羽根を取付けて処理材料を流動させるようにしているので、上述したようにシャフトがスクリ−ン等を貫通する部分で分散媒体の目詰まりや流出等の問題があり、上記空間部への処理材料の流入，流出も満足すべきものとは言えない。
【０００５】
【発明が解決しようとする課題】
本発明の解決課題は、上述したように各種知られている上記バスケットミルの欠点を改良し、容器の発熱を抑え、タンク内を流動する処理材料が効率よく上記容器内に流入し、分散媒体の目詰まりや流出の問題を生じないようにした媒体分散装置を提供することである。
【０００６】
【課題を解決するための手段】
本発明によれば、処理材料を収納したタンク内に分散媒体を収納した容器を設け、該容器内に設けた攪拌翼により上記分散媒体と処理材料に流動を与えて処理材料を分散する媒体分散装置において、上記容器の周壁部を液密にし、該周壁部に調温流体が流通するジャケットを形成し、上記容器の上部を開口し、かつ底部に上記分散媒体が通過しない流通孔を有するスクリ−ンを設け、該容器内の分散媒体を攪拌するよう複数の攪拌翼を有する回転軸を上記開口を通して容器内に延出し、該開口から処理材料を該容器内へ送り込むよう上記回転軸の上部に送り込み手段を設け、スクリーンに近接した最下端の攪拌翼は分散媒体をかき上げるかき上げ翼であることを特徴とする媒体分散装置が提供され、上記課題が解決される。
【０００７】
【発明の実施の形態】
図面は、本発明の媒体分散装置の一実施例を示し、本体（１）の上方には昇降軸（２）により、ガイド軸（３）に案内されて上下動するようフレ−ム（４）が設けられている。該フレ−ムの下方には処理材料を収納したタンク（５）が搬入され、ホルダ−（６）により定位置に保持される。
【０００８】
上記タンク（５）内に挿入されるよう分散媒体を収納する筒状の容器（７）が設けられている。該容器（７）は周壁部が液密に形成され、該周壁部に冷却水等の調温媒体が流通するジャケット（８）を形成しており、該調温媒体の流路を兼ねた通水管兼用ステ−（９）により上記フレ−ム（４）の下方に設けられている。該容器（７）の上部には、開口(10)を有する上面板(11)が着脱可能に設けられており、該開口(10)の周囲が該容器（７）の内方に向かって傾斜している。
【０００９】
上記容器（７）の底部には、該容器内に収納した分散媒体は通過しないが、処理材料は流出できるような大きさの小孔，スリット，網目等の流通孔を有するスクリ−ン(12)が設けられている。該スクリ−ン(12)は、該容器（７）に着脱可能に設けられており、上記分散媒体の粒径に応じて、適宜の大きさの流通孔を有するスクリ−ンが交換可能に用意されている。
【００１０】
上記上面板(11)の開口(10)には、上記フレ−ム（４）から下方に垂下した回転軸(13)が挿通しており、容器内に延びる該回転軸(13)には、分散媒体を攪拌するよう攪拌翼(14)・・・が複数設けられ、上記スクリ−ンに近接した最下端の翼は、分散媒体をかき上げるよう好ましくはかき上げ翼(15)で構成してある。
【００１１】
上記回転軸(13)の上部には、上記開口(10)から処理材料を上記容器（７）内に送り込む（吸い込む）よう送り込み手段（吸い込み手段）が設けられている。図において、該送り込み手段は、該回転軸(13)に設けたスクリュ−(16)であるが、軸流タ−ビンその他の送り込み翼を用いることもできる（図示略）。
【００１２】
上記容器（７）とタンク（５）の間には、該タンク内の処理材料に流動を与えるよう処理材料流動用攪拌翼(17)が設けられている。該処理材料流動用攪拌翼(17)は、上記フレ−ム（４）から下方に垂下した回転軸(18)により回転され、図においては、上記容器（７）を中心として対向する位置に２本設けてあるが、１本でもよく、また上記容器（７）を囲んで等間隔に３本以上設けてもよい。
【００１３】
上記実施例においては、底部がフラットに形成してあるが、略かご状に形成してもよい。例えば、図２に示すように上記底部に設けるスクリ−ン(12)を、上記容器の基底を構成する底面部(12a) と、上記容器の高さの３分の１以下の高さで上記底面部(12a) の周囲に起立する周面部(12b) で構成すると、上記処理材料の流動は一層促進され、冷却効果も充分奏することができる。
【００１４】
而して、処理材料を収納したタンク（５）の液面下になるように上記容器（７）をタンク内に入れ、駆動モ−タ(19)，(20)を駆動すると、図示を省いた回転伝達機構を介して上記回転軸(13)，(18)は回転し、上記タンク内の処理材料は、流動すると共に上記送り込み手段により開口(10)から容器内に送り込まれる。そして、該容器（７）内で分散媒体(21)・・・と一緒になって攪拌され、分散され、スクリ−ン(12)を通して容器（７）から流出し、再び上記送り込み手段により上記開口(10)を通して容器（７）内へ送り込まれ、所望の程度になるまで分散処理される。この際、容器（７）内及びタンク（５）内の発熱は、上記容器（７）に設けたジャケット（８）を流通する冷却水により冷却される。なお、処理材料によっては上記調温媒体として温水を用いることもできる。
【００１５】
【発明の効果】
本発明は上記のように構成され、処理材料を収納したタンク内に分散媒体を収納した容器を入れ、該容器の周壁部を調温媒体が流通するジャケットとし、該容器の上部に開口を設けかつ底部に分散媒体が通過しない流通孔を有するスクリ−ンを設け、上記容器内の分散媒体を攪拌する攪拌翼を有する回転軸を上記開口を通して容器内に延出し、該開口から処理材料を該容器内へ送り込むよう上記回転軸に送り込み手段を設けたので、上記回転軸がスクリ−ンを貫通していないから、分散媒体の目詰まりや流出が防止され、タンク内を流動する処理材料を上記送り込み手段により開口を通して確実に容器内に送り込むことができ、発熱等が生じてもジャケットで冷却等の調温をすることができる。また、容器内に設けた複数の攪拌翼のうち、最下端の翼をかき上げ翼とすると、一層容器内を循環する処理材料の流動を促進することができ、タンクと容器の間に処理材料流動用攪拌翼を設けるとタンク内の一部に処理材料が滞留することがなく、全体的に流動を生じ、効率よく分散処理することができる。
【図面の簡単な説明】
【図１】本発明の一実施例を示す一部を断面した側面図。
【図２】本発明の他の実施例を示す容器部分の断面図。
【符号の説明】
１  本体
４  フレ−ム
５  タンク
７  容器
８  ジャケット
10  開口
12  スクリ−ン
13  回転軸
14  攪拌翼
15  かき上げ翼
16  スクリュ−
17  処理材料流動用攪拌翼
【図１】
0004013211.tif 000002
【図２】
0004013211.tif 000003